(57)【要約】  概括的には、上面及び底面と、圧力チャネルへの１つ又はそれ以上の圧力入口とを有している圧力レールは、圧力レール内に配置されている。圧力チャネルは、圧力レールの中へ穿孔されている。複数のパッチ凹部は、パッチが上に配置される、圧力レールの上面上の複数のシーリング面に形成されている。複数のアンテナブロックは、概ね圧力レールの上に配置されており、各アンテナブロックは、少なくとも２つのアンテナを含んでいる。２つのアンテナは、シリコン製接着剤を使って、複数のアンテナ＋ｏｃｋｓの内の各アンテナ＋＞Ａｋに接続されている。各アンテナ＋＞Ａｋは、ＳＡＷセンサーパッチを試験するために、複数のパッチの内の各パッチに関係付けられた圧力と温度の状態を示す無線データを送るために、それぞれ圧力レール上に配置されている。【選択図】          図２
2007530943.tif 000002
【特許請求の範囲】
【請求項１】
センサー試験システムにおいて、
上面及び底面と、圧力レール内に配置されている圧力チャネルへの少なくとも１つの圧力入口と、を有している圧力レールと、
複数のパッチの内の少なくとも１つのパッチが上に配置される、前記圧力レールの前記上面上の複数のシーリング面に形成されている複数のパッチ凹部と、
前記圧力レール上に配置されている複数のアンテナブロックであって、各アンテナブロックは、少なくとも２つのアンテナを含んでおり、前記複数のパッチの内の各パッチに関係付けられた圧力と温度の状態を示す無線データを送るために、前記圧力レール上にそれぞれ配置されている、アンテナブロックと、を備えているシステム。
【請求項２】
前記複数のパッチの内の前記各パッチは、ＳＡＷパッチを備えている、請求項１に記載のシステム。
【請求項３】
前記圧力レールは、ＳＡＷタイヤ圧力測定パッチ無線試験レールを備えている、請求項１に記載のシステム。
【請求項４】
前記複数のアンテナブロックにそれぞれ接続されている複数のＢＮＣコネクタであって、各ＢＮＣコネクタは、それぞれ、各アンテナブロックに接続され、各アンテナブロックから突き出ている、ＢＮＣコネクタを更に備えている、請求項１に記載のシステム。
【請求項５】
前記複数のシーリング面の内の各シーリング面には、各Ｏリングを所定の位置に保持する溝が設けられている、請求項１に記載のシステム。
【請求項６】
前記溝はあり溝を備えている、請求項５に記載のシステム。
【請求項７】
ＳＡＷセンサー試験システムにおいて、
上面と底面と、圧力レール内に配置されている圧力チャネルへの少なくとも１つの圧力入口と、を有している圧力レール、
複数のＳＡＷパッチの内の少なくとも１つのＳＡＷパッチが上に配置される、前記圧力レールの前記上面上の複数のシーリング面に形成されている複数のＳＡＷパッチ凹部と、
前記圧力レールの上に配置されている複数のアンテナブロックであって、各アンテナブロックは、少なくとも２つのアンテナを含んでおり、前記圧力レール上にそれぞれ配置されている、複数のアンテナブロックと、
前記複数のアンテナブロックにそれぞれ接続されている複数のＢＮＣコネクタであって、各ＢＮＣコネクタは、前記複数のＳＡＷパッチの内の各ＳＡＷパッチに関係付けられている圧力と温度の状態を示す無線データを送るために、それぞれ、各アンテナブロックに接続され、各アンテナブロックから突き出ている、複数のＢＮＣコネクタと、を備えているシステム。
【請求項８】
前記複数のシーリング面の内の各シーリング面には、各Ｏリングを所定の位置に保持する溝が設けられている、請求項７に記載のシステム。
【請求項９】
前記溝は、前記各Ｏリングを所定の位置に保持するために前記シーリング面にミーリング加工されているあり溝を備えている、請求項８に記載のシステム。
【請求項１０】
前記各Ｏリングは、シリコン製のＯリングを備えている、請求項８に記載のシステム。
【請求項１１】
前記圧力チャネルは、前記圧力レールの中に穿孔されている、請求項７に記載のシステム。
【請求項１２】
前記ＳＡＷパッチは、前記ＳＡＷパッチを示す試験データを集めるために、一定の距離で無線で呼掛けられている間は、温度と圧力の両方に反応する、請求項７に記載のシステム。
【請求項１３】
前記複数のアンテナブロックの内の或るアンテナブロックを所定の位置に保持し、前記各Ｏリングを、前記複数のアンテナブロックの内の各アンテナブロックに対してシールするための、複数のキャップスクリューを更に備えている、請求項９に記載のシステム。
【請求項１４】
前記少なくとも２つのアンテナは、シリコン製の接着剤を使って、前記複数のアンテナブロックの内の各アンテナブロックに接続されている、請求項７に記載のシステム。
【請求項１５】
センサー試験方法において、
上面と底面と、圧力レール内に配置されている圧力チャネルへの少なくとも１つの圧力入口と、を有している圧力レールを提供する段階と、
複数のパッチの内の少なくとも１つのパッチが上に配置される、前記圧力レールの前記上面上の複数のシーリング面に、複数のパッチ凹部を形成する段階と、
前記圧力レールの上に複数のアンテナブロックを配置する段階であって、各アンテナブロックは、少なくとも２つのアンテナを含んでおり、それぞれ前記圧力レール上に配置されている、複数のアンテナブロックを配置する段階と、
その後、前記複数のアンテナブロックから、前記複数のパッチの内の各パッチに関係付けられた圧力と温度の状態を示す無線データを生成する段階と、から成る方法。
【請求項１６】
前記複数のパッチの内の前記各パッチを、ＳＡＷパッチを備えているように構成する段階を更に備えている、請求項１５に記載のシステム。
【請求項１７】
前記圧力レールを、ＳＡＷタイヤ圧力測定パッチ無線試験レールを備えているように構成する段階を更に備えている、請求項１５に記載の方法。
【請求項１８】
複数のＢＮＣコネクタを、それぞれ前記複数のアンテナブロックに接続する段階であって、各ＢＮＣコネクタは、それぞれ、各アンテナブロックに接続され、各アンテナブロックから突き出ている、複数のＢＮＣコネクタを複数のアンテナブロックに接続する段階を更に含んでいる、請求項１５に記載の方法。
【請求項１９】
前記複数のシーリング面の内の各シーリング面を、各Ｏリングを所定の位置に保持する溝を形成するように構成する段階を更に含んでいる、請求項１５に記載の方法。
【請求項２０】
前記溝はあり溝を備えている、請求項１９に記載の方法。
【発明の詳細な説明】
【技術分野】
【０００１】
実施形態は、概括的には、感知方法及びシステムに関する。また、実施形態は、圧力及び温度センサーに関する。実施形態は、更に、表面音響波（ＳＡＷ）装置及びセンサーに関しており、特に、その試験方法及びシステムに関する。実施形態は、更に、無線周波数識別（ＲＦＩＤ）タグに関する。
【背景技術】
【０００２】
圧力及び温度感知技術分野では、様々なセンサーが知られている。圧力及び／又は温度を検知する能力は、一定の温度下にある装置、及び温度条件に大いに影響を受ける装置の何れにとっても有用である。そのような装置の代表的な例が自動車のタイヤであり、これは、勿論、温度と圧力両方の変化に曝される。タイヤの圧力及び／又は温度を感知し、車両の中心位置にいる運転者にこの情報を送って、タイヤの空気圧が高いか又は低いことを運転者に知らせるための、多くの異なる技法が提案されている。
【０００３】
そのようなセンサーは、一般的に、車両が動いているとき、即ち車輪が車両の車体に対して回転しているときに、感知された圧力及び／又は温度が運転者に表示されるように、車両と交信する。そのような装置は、一般的に、比較的複雑で価格が高いか、或いは、特に頑強ではない。
【０００４】
タイヤの圧力及び／又は温度センサーシステムの中には、車体に固定されたセンサーを組み込んで、回転している車輪と車台の間に、回転する電気接点を不要にしているものもある。このシステムでは、タイヤの圧力が低いときにタイヤの側壁が変形するのを利用して、センサー軸が、このタイヤの側壁と接触して撓むようになっている。このシステムは、低いタイヤ圧力を表示するが、頑強ではない。例えば、車輪に泥や塵屑が付着すると、間違った読み取りの原因となることもある。更に、このシステムが表示を行うのは、必ず相当にタイヤが膨らむほど、タイヤ圧が大幅に下がったときだけである。このようなシステムが、実際のタイヤ圧力の読み値を提供できないのは明白である。
【０００５】
別の形態の固定式センサーでは、車両の高さを検出して、高さが低くなると、タイヤ圧力が低いと見なす。しかしながら、タイヤが轍に入ったり、でこぼこの地面上に駐車されていれば、誤った低圧の読み値を生成することになり易い。
【０００６】
より複雑なシステムは、タイヤ圧力を監視することができる。例えば、或る種の圧力センサーシステムは、円周状に規則的に交互に分布する極性の異なる磁石区画から成る多極リングで形成された回転式エンコーダーを使用している。リング及び固定ピックアップと同軸の送信器コイル（誘導コイルシステム）に交流電流を流して、多極リングによって作り出される磁界に重ね合わせられる磁界を生成し、ピックアップされる信号を生成し、車輪の回転特性、従ってタイヤの状態に関係する信号を送る。
【０００７】
或る種のタイヤ圧力システムは、各車輪上の各センサーに、タイヤ圧力などに関する情報を車輪から車体の無線受信器に送る無線送信器を設け、この送信された信号をデコードしてタイヤ圧力などに関する情報を提供し、運転者がそれを利用できるようにする車輪システムを、更に使用している。しかしながら、従来の無線システムは、耐久性が無く、設計及び作成に費用が掛かる。
【０００８】
車両のタイヤの様な圧力及び温度感知用途に広く使用されている１つの型式のセンサーは、表面音響波（ＳＡＷ）センサーであり、基板上の感知要素と、カバーの一部である圧力変換器センサーダイアフラムとで構成されている。ＳＡＷセンサーを適切に機能させるには、センサーダイアフラムは、一般的に、全ての圧力レベル及び温度で、感知要素と密接に接触して配置されていなければならない。
【０００９】
パッケージ内の膨張を補償するため、感知要素とセンサーダイアフラムは、アッセンブリするときに予荷重を掛けて出力周波数を既知の量だけずらし、常時接触を保証できるようにしなければならない。従来のセンサー設計では、カバーと基板の間の締まり嵌めによって、カバーと基板が溶接、はんだ付け又は他の接続手段によって所定の位置に係止されるまで、予荷重を維持している。
【００１０】
ＳＡＷセンサーの様なセンサーを適切に構成するためには、感知装置は、様々な温度及び圧力条件の下で装置が正しく作用することを保証するため、厳格な試験を課さなければならない。システムは、センサーが最終的に直面する種類と同様の環境において全ての機能を試験するように作り上げねばならない。例えば、ＳＡＷセンサーは、タイヤの温度と圧力状態を感知する際に使用するのに理想的に適している。感知装置は、高温と低温（例えば、１００℃から−４０℃）に反応できなければならず、同時に様々な圧力の範囲（例えば、０ｐｓｉから１５０ｐｓｉ）に反応できなければならない。従って、センサーを試験して、温度及び圧力の変化に亘る機能を確認し、センサーの外部構成要素（例えば、センサーハウジング）がこれらの様々な条件に耐えられると保証する必要がある。
【００１１】
また、試験は、ハウジングの様なセンサー装置の構成要素が、アンテナの様な無線構成要素の存在に起因するＲＦ周波数の影響を受けないことを保証するために、実施される。センサーのハウジングと基板は、電気的短絡がハウジングから基板まで走り、センサー測定値に周波数偏移又はエラーを引き起こすような状態に配置してはならない。従って、ＳＡＷセンサーの様なセンサー装置を適切に試験するための改良された方法及びシステムが必要とされている。適切なパッチシステム、具体的には無線能力を備えているシステムを構成すれば、センサー試験が大幅に向上して、現在実現されているセンサーよりも相当に能率的で頑丈なセンサーを提供することができる。
【発明の開示】
【課題を解決するための手段】
【００１２】
以下の本発明の概要は、本発明に固有の新しい特徴の幾つかを容易に理解頂くために提供しており、全てを説明するよう目論んでいるわけではない。本発明の様々な態様は、明細書、請求項、図面及び要約書全体を一つのものとして捉えることによって、完全に理解頂けるであろう。
【００１３】
従って、本発明の１つの態様は、改良されたセンサー試験方法とシステムを提供することである。
【００１４】
本発明の別の態様は、表面音響波（ＳＡＷ）センサー及び装置の効果を試験するのに使用できるセンサー試験方法及びシステムを提供することである。
【００１５】
本発明の上に述べた態様、及びこの他の目的と利点は、ここに記載しているように実現することができる。センサー試験システムと方法が、ここに開示されている。概括的には、上面及び底面と、圧力チャネルへの少なくとも１つの圧力入口とを有している圧力レールは、圧力レール内に配置されている。圧力チャネルは、圧力レールの中に穿孔されている。複数のパッチ凹部は、パッチを配置する圧力レールの上面上の複数のシーリング面に形成されている。複数のアンテナブロックは、概括的には、圧力レール上に配置され、各アンテナブロックは、少なくとも２つのアンテナを含んでいる。２つのアンテナは、複数のアンテナブロックの内のそれぞれのアンテナブロックに、シリコン接着剤を使って接続されている。各アンテナブロックは、複数のパッチの中の各パッチに関係する圧力及び温度の状態を示す無線データを提供するために、それぞれ圧力レール上に配置されている。
【００１６】
更に、複数のＢＮＣコネクタは、それぞれ複数のアンテナブロックに接続されており、各ＢＮＣコネクタは、それぞれ各アンテナブロックに接続され、そこから突き出ている。複数のシーリング面の内の各シーリング面は、それぞれＯリングを所定の位置に保持する溝を有するように構成されている。パッチ自体は、ＳＡＷパッチでもよい。更に、複数のアンテナブロックの内の１つのアンテナブロックを所定の位置に保持するため、及び各Ｏリングを複数のアンテナブロックの内の各アンテナブロックに対してシールするために、複数のキャップスクリューが設けられる。従って、圧力レールは、概ねＳＡＷタイヤ圧力測定パッチ無線試験レールとして機能する。ＳＡＷパッチは、ＳＡＷパッチの示す試験データを集めるために一定の距離で無線で呼掛けられている間は、温度と圧力の両方に反応する。
【発明を実施するための最良の形態】
【００１７】
添付図面では、各図を通して、同じ参照番号は、同じ又は機能的に同様の要素を示しており、また、添付図面は、明細書に組み込まれてその一部を形成し、更に本発明を示しており、本発明の詳細な説明と一体になって、本発明の原理を説明する働きをしている。
【００１８】
ここに示す実施例は、本発明に制限を加えるものではなく、これら実施例において論じている具体的な値及び構成は、変更することもでき、本発明の少なくとも１つの実施形態を説明するために記載しているに過ぎず、本発明の範囲を制限する意図はない。
【００１９】
図１は、本発明の或る実施形態に従って実施することのできる無線センサー試験システム１００の上面図を示している。図２は、本発明の或る実施形態による、図１の無線センサー試験システム１００の側面斜視図である。図３は、本発明の或る実施形態による、図１−２の無線センサー試験システム１００の正面図である。図４は、本発明の或る実施形態による、図１−３の無線センサー試験システム１００の右側面図である。
【００２０】
システム１００は、概括的には、圧力レール１２２を含んでおり、その上に、複数のアンテナブロック１０２、１０４、１０６、１０８、１１０が配置されている。圧力レール１２２は、圧力入口１２４を含んでいる。５つの個々の凹部が、例えばＳＡＷパッチ１３６の様なＳＡＷパッチを配置して方向付けるために、圧力レール１２２の上面に切り込まれている。ＳＡＷパッチ１３６は、ゴムのような材料で形成できることに注目して頂きたい。圧力レール１２２の上面に切り込まれた１つの凹部の例が、図２に示すパッチ凹部１３４である。圧力入口１２４は、圧力チャネルの一部を形成し、圧力チャネルは、各ＳＡＷパッチ（例えば、ＳＡＷパッチ１３６）にモールド成形されているＳＡＷボタン面を加圧できるように、圧力レール１２２の中心を通して穿孔されている。アンテナブロック１０２、１０４、１０６、１０８、１１０が上に載っている５つの場所には、それぞれ、シリコンＯリングを所定の位置に保持し、同時にＯリングを保持するのを支援するあり溝が、シーリング面にミーリング加工されて設けられている。その様なあり溝は、例えば図２に示すＯリング溝１３２である。
【００２１】
各Ｏリングは、４つのキャップスクリューによって所定の位置に保持されている各アンテナブロックに対してシールする役目を果たす。例えば、アンテナブロック１１０は、キャップスクリュー１２４、１２６、１２８、１３０で所定の位置に保持される。各アンテナブロック１０２、１０４、１０６、１０８、１１０は、各アンテナ溝１４０、１４２、１４４、１４６、１４８内に取り付けられた２つのアンテナを含むよう構成されており、各アンテナは、例えばシリコン接着剤の様な接着剤で所定の位置に保持されている。２つのアンテナは、それぞれ、各アンテナブロックの上から突き出ている各ＢＮＣコネクタに配線接続されている。例えば、アンテナブロック１１０には、ＢＮＣコネクタ１２０が取り付けられている。
【００２２】
アンテナブロック１０２、１０４、１０６、１０８、１１０には、それぞれＢＮＣコネクタ１１２、１１４、１１６、１１８、１２０が取り付けられている。ここで使用している「ＢＮＣコネクタ」という用語は、広く、同軸ケーブルと共に使用されるコネクタ型式を指す。基本的なＢＮＣコネクタは、ケーブルの各端部に取り付けられた雄型である。このコネクタは、中心ケーブル導体に接続されている中心ピンと、外側ケーブルシールドに接続されている金属管を有している。管の外側の回転リングは、ケーブルを、何れかの雌型コネクタに係止する。
【００２３】
図５は、本発明の或る実施形態による、ＳＡＷ試験のためのシステム５００のブロック図である。図１−５では、同様又は同一部品又は要素は、概ね、同じ参照番号によって示されている。従って、システム５００では、各ＢＮＣコネクタ１１２、１１４、１１６、１１８、１２０は、温度及び圧力状態を監視して調整する試験システム５０２に接続されている。概括的には、システム５００は、１５０ｐｓｉまで加圧できるほぼ５つのゴムパッチを含んでおり、ほぼ摂氏１３５度まで加熱できるＳＡＷタイヤ圧力管理パッチ無線試験レールとして使用できるように作られ、一方、埋め込み式アンテナは、ＳＡＷパッチ１３６の様なＳＡＷパッチに呼掛信号を送る。システム５００は、最終試験データを集めることができるようにするために、一定の距離で呼掛信号を送られている間は、ＳＡＷパッチが温度及び圧力の両方に反応できるようにする。
【００２４】
図６は、本発明の或る実施形態による、図１−３に示されている試験システム１００によって試験することのできるセンサー６００の上面と側面の図である。センサー６００は、概括的には、ＳＡＷボタンセンサー又は官能器アッセンブリを備えている。センサー６００は、基部６２０、６１２、６２４から成るセンサー基板を含んでいる。２つのピン６０８と６１０は、センサー基板に取り付けられ、及び／又は接続されている。この様なピン６０８と６１０は、センサー基板の領域６３０と６３２内に配置されている。センサー６００は、概括的には、窪み６０２を含むように構成されているセンサーカバー６０６を含んでいる。窪み６０２の具体的な形状及び寸法は、具体的な用途によって変わる。図６に示す窪み６０２は、分かり易くするために呈示しているのであって、その寸法及び形状が、本発明の特徴を限定するものではない。
【００２５】
センサー要素６２８は、センサーカバー６０６と、基部６２０、６１２、６２４で構成されているセンサー基板との間に空隙を形成できるやり方で、基部６１２に隣接して、又は基部６１２上に配置される。センサーダイアフラム６０３は、センサーカバー６０６に組み込んでもよい。カバー６０６は、全圧力レベルと温度で、窪み６０２がセンサー要素６２８と密接に接触するように、センサー基板の境界を定める。
【００２６】
図６から分かるように、カバーと基板の間に締まり嵌めを使用するのではなく、その構成要素を、カバーと基板の間に空隙又は間隙が形成されるように設計してもよい。その様な設計は、予荷重を維持するために、２つの部品の間の干渉に頼るのではなく、カバーを基板に組み込むときに、構成要素を所定の位置に係止する溶接、はんだ付け又は他の接続手段を使用する。
【００２７】
各構成要素は、カバーの内側寸法が許容範囲内の最小値で、基板の外側寸法が許容範囲内の最大値であっても、両者を組み合わせたときに、その間に間隙があるように設計される。従って、カバーが許容範囲内の最小寸法で、基板が許容範囲内の最大寸法であっても、間隙は、一般的にカバーと基板の間に存在する。そのような構造にする目的は、部品を呼び寸法で作成するためである。
【００２８】
以上のことから、ここに開示している幾つかの実施形態は、センサー試験システム及び方法に関していると理解することができる。概括的には、上面及び底面と、圧力チャネルへの少なくとも１つの圧力入口とを有している圧力レールは、圧力レール内に配置されている。圧力チャネルは、圧力レールの中に穿孔されている。複数のパッチ凹部は、パッチを配置する圧力レールの上面上の複数のシーリング面に形成されている。複数のアンテナブロックは、概括的には、圧力レール上に配置され、各アンテナブロックは、少なくとも２つのアンテナを含んでいる。２つのアンテナは、複数のアンテナブロックの内のそれぞれのアンテナブロックに、シリコン接着剤を使って接続されている。各アンテナブロックは、複数のパッチの中の各パッチに関係する圧力及び温度の状態を示す無線データを提供するために、それぞれ圧力レール上に配置されている。
【００２９】
更に、複数のＢＮＣコネクタは、それぞれ複数のアンテナブロックに接続されており、各ＢＮＣコネクタは、それぞれ各アンテナブロックに接続され、そこから突き出ている。複数のシーリング面の内の各シーリング面は、それぞれＯリングを所定の位置に保持する溝を有するように構成されている。パッチ自体は、ＳＡＷパッチでもよい。更に、複数のアンテナブロックの内の１つのアンテナブロックを所定の位置に保持するため、及び各Ｏリングを複数のアンテナブロックの内の各アンテナブロックに対してシールするために、複数のキャップスクリューが設けられる。従って、圧力レールは、概ねＳＡＷタイヤ圧力測定パッチ無線試験レールとして機能する。ＳＡＷパッチは、ＳＡＷパッチの示す試験データを集めるために一定の距離で無線で呼掛けられている間は、温度と圧力の両方に反応する。
【００３０】
ここに開示しているＳＡＷタイヤ圧力測定パッチ無線試験レールは、埋め込み式アンテナがＳＡＷパッチに呼掛信号を送っている間は、５つ又はそれ以上のゴムパッチが１５０ｓｐｉまで加圧され、摂氏１２５度まで加熱されるように構成することができる。これによって、ＳＡＷパッチが、最終試験データを集めることができるように、一定の距離で呼掛けられている間は、温度と圧力の両方に反応できるようになっている。
【００３１】
試験設備は、上部のアンテナブロックと下部の圧力レール用にＵｌｔｅｍ材料を使って作ることができる。或る実施形態に従って使用できるようになっているＵｌｔｅｍ材料の例は、Ｕｌｔｅｍ樹脂である。Ｕｌｔｅｍ樹脂は、極めて高い耐熱性、高い強度、弾性係数、及び広範な耐化学薬品特性を呈するアモルファス熱可塑性ポリエーテルイミドである。Ｕｌｔｅｍは、ゼネラルエレクトリック社の商標である。勿論、他の種類のアモルファス熱可塑性ポリエーテルイミド材料を、各実施形態で使用するように適合させることもできるし、Ｕｌｔｅｍ材料の使用は、ここでは一般的な説明を目的に記載されている、と理解することができる。
【００３２】
ＳＡＷパッチを配置して方向付けるために、圧力レールには、概ね５つ又はそれ以上（又はそれ以下）の個別の凹部が、上面に切り込まれている。圧力チャネルは、パッチにモールド成形されているＳＡＷボタン面を加圧することができるように、レールの中心を通って穿孔されている。５つの場所には、それぞれ、シーリング面に、シリコンＯリングを所定の位置に保持しＯリングを保持する役を果たす、ミーリング加工されたあり溝が設けられている。Ｏリングは、４つのキャップスクリューで所定の位置に保持されているアンテナブロックに対してシールする。アンテナブロックには、２つのアンテナが、溝の内側に取り付けられ、ＲＴＶシリコン接着剤で所定の位置に保持されている。２つのアンテナは、アンテナブロックの上部から突き出ているＢＮＣコネクタに配線接続されている。ＢＮＣコネクタは、温度と圧力を監視し、調整するために、試験システムに接続されている。
【００３３】
ここに記載している実施形態と実施例は、本発明とその実際の用途を良く説明して、当業者が本発明を作成し使用できるようにするため呈示している。しかしながら、当業者には理解頂けるように、以上の説明と実施例は、解説と例示のみを目的に示している。当業者には、本発明の他の変更及び修正が自明であり、特許請求の範囲は、そのような変更及び修正を包含するものとする。
【００３４】
記載している説明は、本発明の範囲を網羅又は制限する意図はない。上記教示に鑑み、多くの修正及び変更を、特許請求の範囲から逸脱することなく施すことができる。本発明を使用する際には、異なる特性を有する構成要素を伴うことも考えられる。本発明の範囲は、全ての点で等価物を完全に認識範囲に入れ、特許請求の範囲で定義する。
【図面の簡単な説明】
【００３５】
【図１】本発明の或る実施形態に従って実施することのできる無線センサー試験システムの上面図である。
【図２】本発明の或る実施形態による、図１に示す無線センサー試験システムの側面斜視図である。
【図３】本発明の或る実施形態による、図１−２に示す無線センサー試験システムの正面図である。
【図４】本発明の或る実施形態による、図１−３に示す無線センサー試験システムの右側面図である。
【図５】本発明の或る実施形態による、ＳＡＷ試験のためのシステム５００のブロック図である。
【図６】本発明の或る実施形態による、図１−４に示す試験システムによって試験することのできるセンサーの上面及び側面図である。
【図１】
2007530943.tif 000003
【図２】
2007530943.tif 000004
【図３】
2007530943.tif 000005
【図４】
2007530943.tif 000006
【図５】
2007530943.tif 000007
【図６】
2007530943.tif 000008
【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
センサー試験システムにおいて、
上面及び底面と、圧力レール内に配置されている圧力チャネルへの少なくとも１つの圧力入口と、を有している圧力レールと、
複数のパッチの内の少なくとも１つのパッチが上に配置される、前記圧力レールの前記上面上の複数のシーリング面に形成されている複数のパッチ凹部と、
前記圧力レール上に配置されている複数のアンテナブロックであって、各アンテナブロックは、少なくとも２つのアンテナを含んでおり、前記複数のパッチの内の各パッチに関係付けられた圧力と温度の状態を示す無線データを送るために、前記圧力レール上にそれぞれ配置されている、アンテナブロックと、を備えているシステム。
【請求項２】
前記複数のパッチの内の前記各パッチは、ＳＡＷパッチを備えている、請求項１に記載のシステム。
【請求項３】
ＳＡＷセンサー試験システムにおいて、
上面と底面と、圧力レール内に配置されている圧力チャネルへの少なくとも１つの圧力入口と、を有している圧力レール、
複数のＳＡＷパッチの内の少なくとも１つのＳＡＷパッチが上に配置される、前記圧力レールの前記上面上の複数のシーリング面に形成されている複数のＳＡＷパッチ凹部と、
前記圧力レールの上に配置されている複数のアンテナブロックであって、各アンテナブロックは、少なくとも２つのアンテナを含んでおり、前記圧力レール上にそれぞれ配置されている、複数のアンテナブロックと、
前記複数のアンテナブロックにそれぞれ接続されている複数のＢＮＣコネクタであって、各ＢＮＣコネクタは、前記複数のＳＡＷパッチの内の各ＳＡＷパッチに関係付けられている圧力と温度の状態を示す無線データを送るために、それぞれ、各アンテナブロックに接続され、各アンテナブロックから突き出ている、複数のＢＮＣコネクタと、を備えているシステム。
【請求項４】
センサー試験方法において、
上面と底面と、圧力レール内に配置されている圧力チャネルへの少なくとも１つの圧力入口と、を有している圧力レールを提供する段階と、
複数のパッチの内の少なくとも１つのパッチが上に配置される、前記圧力レールの前記上面上の複数のシーリング面に、複数のパッチ凹部を形成する段階と、
前記圧力レールの上に複数のアンテナブロックを配置する段階であって、各アンテナブロックは、少なくとも２つのアンテナを含んでおり、それぞれ前記圧力レール上に配置されている、複数のアンテナブロックを配置する段階と、
その後、前記複数のアンテナブロックから、前記複数のパッチの内の各パッチに関係付けられた圧力と温度の状態を示す無線データを生成する段階と、から成る方法。
【国際調査報告】
2007530943.tif 000009
2007530943.tif 000010
2007530943.tif 000011